(57)【特許請求の範囲】
【請求項１】
送信の干渉を低減するための方法であって、
ＦＭ受信機がオンにされることを決定することと、
前記ＦＭ受信機が誘導ベースの通信送信機からの干渉を経験するＦＭチャネルに同調されることを決定することと、
前記干渉を引き起こす前記誘導ベースの通信送信機の送信周波数の高調波を前記ＦＭ受信機の帯域幅のエッジにシフトするために一時的な周波数シフトのための送信周波数シフトの量を決定することと、
前記決定された量によって前記誘導ベースの通信送信機の送信周波数を調整することと
を備える、方法。
【請求項２】
前記誘導ベースの通信送信機の磁界は、前記ＦＭ受信機と誘導結合される、請求項１に記載の方法。
【請求項３】
前記ＦＭ受信機が誘導ベースの通信送信機からの干渉を経験するＦＭチャネルに同調されることを決定することは、前記同調されたＦＭチャネルを、感度低下されたＦＭチャネルのリストと比較することを備える、請求項１に記載の方法。
【請求項４】
前記一時的な周波数シフトは、前記ＦＭ受信機との干渉を低減する、請求項１に記載の方法。
【請求項５】
前記同調されたＦＭチャネルが、前記誘導ベースの通信送信機の前記送信周波数の高調波から周波数閾値内にあるとき、前記誘導ベースの通信送信機の前記送信周波数を調整することをさらに備える、請求項１に記載の方法。
【請求項６】
前記誘導ベースの通信送信機は、近距離通信（ＮＦＣ）送信機である、請求項１に記載の方法。
【請求項７】
前記ＮＦＣ送信機の動作は、ＦＭ動作と同時である、請求項６に記載の方法。
【請求項８】
前記一時的な周波数シフトは、指定されたＮＦＣ送信周波数帯域幅内である、請求項６に記載の方法。
【請求項９】
前記ＮＦＣ送信機は、イニシエータとして機能している、請求項６に記載の方法。
【請求項１０】
前記ＮＦＣ送信機は、ポーリング動作を行っている、請求項６に記載の方法。
【請求項１１】
送信の干渉を低減するためのワイヤレスデバイスであって、
ＦＭ受信機がオンにされることを決定するための手段と、
前記ＦＭ受信機が誘導ベースの通信送信機からの干渉を経験するＦＭチャネルに同調されることを決定するための手段と、
前記干渉を引き起こす前記誘導ベースの通信送信機の送信周波数の高調波を前記ＦＭ受信機の帯域幅のエッジにシフトするために一時的な周波数シフトのための送信周波数シフトの量を決定するための手段と、
前記決定された量によって前記誘導ベースの通信送信機の送信周波数を調整するための手段と
を備える、ワイヤレスデバイス。
【請求項１２】
実行されたとき、コンピュータに請求項１から１０のいずれかに記載の方法を行わせる命令を備える、コンピュータプログラム。
【発明の詳細な説明】
【関連出願】
【０００１】
[0001]  本願は、２０１３年９月６日に出願された「MITIGATING FM DESENSITIZATION BY NFC」についての米国特許仮出願第６１／８７４，９７７号に関し、その優先権を主張する。
【技術分野】
【０００２】
[0002]  本開示は、一般に信号処理に関する。より具体的には、本開示は、送信の干渉（transmission interference）を低減するためのシステムおよび方法に関する。
【背景】
【０００３】
[0003]  過去数１０年間で、電子デバイスの使用は一般的となった。特に、電子技術の進歩は、ますます複雑化し有用性を増している電子デバイスのコストを削減してきた。コストの削減および消費者の需要は、電子デバイスが現在の社会において事実上ユビキタスになるほどに電子デバイスの使用を激増させた。電子デバイスの使用が拡大するにつれ、電子デバイスの新しい改善された特徴に対する需要も拡大した。より詳細には、より迅速に、より効率的に、またはより高い品質で機能を実行する電子デバイスが、しばしば求められている。
【０００４】
[0004]  多くの電子デバイスは、多数の技術を使用し得る。例えば、携帯電話は、他の通信技術について、トランシーバに加えてＦＭ受信機を含み得る。これらの技術は、同時に使用されるときに干渉を経験し得る。例えば、ＦＭ受信機は、近距離通信（ＮＦＣ：near field communication）無線を用いた同時使用中に、感度低下（desensitization）を経験し得る。技術間の干渉を低減することによる利点が理解されるだろう。
【発明の概要】
【０００５】
[0005]  送信干渉を低減するための方法が説明される。方法は、ＦＭ受信機がオンにされる（turned on）ことを決定することを含む。方法はまた、ＦＭ受信機が誘導ベースの通信送信機（induction-based communication transmitter）からの干渉を経験するＦＭチャネルに同調（tuned）されることを決定することを含む。方法はさらに、一時的な周波数シフト（temporary frequency shift）によって誘導ベースの通信送信機の送信周波数を調整することを含む。
【０００６】
[0006]  方法は、ワイヤレス通信デバイスによって行われ得る。誘導ベースの通信送信機の磁界は、ＦＭ受信機と誘導的に結合（inductively coupled）され得る。
【０００７】
[0007]  ＦＭ受信機が誘導ベースの通信送信機からの干渉を経験するＦＭチャネルに同調されることを決定することは、同調されたＦＭチャネルを、感度低下されたＦＭチャネル（desensed FM channel）のリストと比較することを含み得る。干渉は、誘導ベースの通信送信機の送信周波数の高調波（harmonic）によって引き起こされ得る。一時的な周波数シフトは、ＦＭ受信機との干渉を低減し得る。
【０００８】
[0008]  方法はまた、同調されたＦＭチャネルが誘導ベースの通信送信機の送信周波数の高調波から周波数閾値（frequency threshold）内にあるとき、誘導ベースの通信送信機の送信周波数を調整することを含み得る。
【０００９】
[0009]  誘導ベースの通信送信機は、近距離通信（ＮＦＣ：near field communication）送信機であり得る。ＮＦＣ送信機の動作は、ＦＭ動作と同時であり得る。一時的な周波数シフトは、規定されたＮＦＣ送信周波数内の帯域幅内にあり得る。ＮＦＣ送信機は、イニシエータ（initiator）として機能し得る。ＮＦＣ送信機は、ポーリング動作（polling operation）を行い得る。
【００１０】
[0010]  送信干渉を低減するための装置がまた、説明される。装置は、プロセッサ、プロセッサと電子通信するメモリ、およびメモリ内に記憶される命令を含む。命令は、ＦＭ受信機がオンにされることを決定するためにプロセッサによって実行可能である。命令はまた、ＦＭ受信機が誘導ベースの通信送信機からの干渉を経験するＦＭチャネルに同調されることを決定するように実行可能である。命令はさらに、一時的な周波数シフトによって誘導ベースの通信送信機の送信周波数を調整するように実行可能である。
【００１１】
[0011]  送信干渉を低減するためのワイヤレスデバイスがまた、説明される。ワイヤレスデバイスは、ＦＭ受信機がオンにされることを決定するための手段を含む。ワイヤレスデバイスはまた、ＦＭ受信機が誘導ベースの通信送信機からの干渉を経験するＦＭチャネルに同調されることを決定するための手段を含む。ワイヤレスデバイスはさらに、一時的な周波数シフトによって誘導ベースの通信送信機の送信周波数を調整するための手段を含む。
【００１２】
[0012]  送信干渉を低減するためのコンピュータプログラム製品がまた、説明される。コンピュータプログラム製品は、命令を有する非一時的な的コンピュータ読取可能媒体を含む。命令は、ワイヤレス通信デバイスに、ＦＭ受信機がオンにされることを決定させるためのコードを含む。命令はまた、ワイヤレス通信デバイスに、ＦＭ受信機が誘導ベースの通信送信機からの干渉を経験するＦＭチャネルに同調されることを決定させるためのコードを含む。命令はさらに、ワイヤレス通信デバイスに、一時的な周波数シフトによって誘導ベースの通信送信機の送信周波数を調整させるためのコードを含む。
【図面の簡単な説明】
【００１３】
【図１】[0013]  図１は、送信の干渉を低減するためのシステムおよび方法が実装され得るワイヤレス通信デバイスの１つの構成を図示するブロック図である。
【図２】[0014]  図２は、誘導ベースの通信によって送信の干渉を低減するための方法の１つの構成を図示するフロー図である。
【図３】[0015]  図３は、送信の干渉を低減するためのシステムおよび方法が実装され得るワイヤレス通信デバイスの別の構成を図示するブロック図である。
【図４】[0016]  図４は、近距離通信（ＮＦＣ）によって送信の干渉を低減するための方法の１つの構成を図示するフロー図である。
【図５】[0017]  図５は、ＮＦＣによる送信の干渉を低減する例を図示するグラフである。
【図６】[0018]  図６は、シフトされていないＮＦＣ第６高調波およびシフトされたＮＦＣ第６高調波のための例示的なＦＭ受信感度を図示するグラフである。
【図７】[0019]  図７は、シフトされていないＮＦＣ第７高調波およびシフトされたＮＦＣ第７高調波のための例示的なＦＭ受信感度を図示するグラフである。
【図８】[0020]  図８は、干渉オフセットに関連する例示的なＦＭノッチフィルタ帯域幅を図示するグラフである。
【図９】[0021]  図９は、ワイヤレス通信デバイス内に含まれ得る特定のコンポーネントを図示する。
【発明を実施するための形態】
【００１４】
[0022]  本明細書で説明されるシステムおよび方法は、ワイヤレスに通信する、および／または有線接続またはリンクを使用して通信する通信デバイスに適用され得る。いくつかの通信デバイスは、ワイヤレスに通信し、および／または有線接続またはリンクを使用して通信し得ることに留意されたい。例えば、いくつかの通信デバイスは、イーサネット（登録商標）プロトコルを使用して他のデバイスと通信し得る。ある構成では、本明細書で開示されるシステムおよび方法は誘導ベースの通信技術（induction-based communication technology）を使用して、別のデバイスと通信する通信デバイスに適用され得る。誘導ベースの通信技術のうちの１つの実装は、近距離通信（ＮＦＣ）である。
【００１５】
[0023]  電子デバイス（例えば、モバイルデバイス）における強化されたＦＭブロードキャスト受信機（Ｒｘ）の性能に対するＮＦＣ技術の向上とユーザ需要の増加は、同時処理（concurrency）についての潜在的な課題（potential challenge）を生み出している。本明細書で使用されるような「同時処理（concurrency）」という用語は、電子デバイス上のＦＭ受信機および誘導ベースの通信トランシーバの同時の（例えば、並列の）動作を指す。いくつかのシナリオでは、誘導ベースの通信技術による送信の１つまたは複数の高調波は、ＦＭブロードキャストバンド（例えば、７６−１０８メガヘルツ（ＭＨｚ））内に落ち（fall）得る。この干渉は、ＦＭチャネルに干渉し（本明細書において、「感度低下（desense）」または「感度低下させる（desensitize）」とも呼ばれる）得、隣接するＦＭチャネルに潜在的に干渉し得る。
【００１６】
[0024]  ここで、様々な構成について、諸図を参照して説明する。これらの図では、同様の参照番号は、機能的に類似したエレメントを指し得る。本明細書の図において一般に説明および図示されるようなシステムおよび方法は、多種多様な異なる構成で配置および設計されることができる。よって、図に示される、いくつかの構成に関する下記のより詳細な説明は、請求項に記載される範囲を制限することを意図したものではなく、単にシステムおよび方法を代表するものにすぎない。
【００１７】
[0025]  図１は、送信の干渉を低減するためのシステムおよび方法が実装され得るワイヤレス通信デバイス１０２の１つの構成を図示するブロック図である。ワイヤレス通信システムは、音声、データなどのような様々なタイプの通信コンテンツを提供するために幅広く展開されている。ワイヤレス通信デバイス１０２は、同時に（例えば、並列で）動作し得る複数の通信技術を含み得る。例えば、ワイヤレス通信デバイス１０２は、ＦＭブロードキャストを受信し得るＦＭ受信機１０４を含み得る。ワイヤレス通信デバイス１０２はまた、誘導ベースの信号を送信および受信し得る誘導ベースの通信トランシーバ１０６を含み得る。
【００１８】
[0026]  ワイヤレスシステム（例えば、多元接続システム）における通信は、ワイヤレスリンクによる送信を通じて達成され得る。このようなワイヤレスリンクは、単一入力単一出力（ＳＩＳＯ）、多入力単一出力（ＭＩＳＯ）、または多入力多出力（ＭＩＭＯ）システムを介して確立され得る。ＭＩＭＯシステムは、データ送信のために複数の（ＮＴ）送信アンテナおよび複数の（ＮＲ）受信アンテナをそれぞれ備える、送信機および受信機を含む。ＳＩＳＯおよびＭＩＳＯシステムは、ＭＩＭＯシステムの特定のインスタンスである。ＭＩＭＯシステムは、複数の送信アンテナおよび受信アンテナによって作成される追加の次元が利用される場合に、改善された性能（例えば、より高いスループット、より大きな容量、または向上された信頼性）を提供し得る。
【００１９】
[0027]  ワイヤレス通信システムは、ＭＩＭＯを利用し得る。ＭＩＭＯシステムは、時間分割複信（ＴＤＤ）および周波数分割複信（ＦＤＤ）システムの両方をサポートし得る。ＴＤＤシステムでは、アップリンクおよびダウンリンク送信は、相反原理（reciprocity principle）がアップリンクチャネルからダウンリンクチャネルの推定を可能にするように、同じ周波数領域上にある。これは、送信ワイヤレスデバイス（例えば、ワイヤレス通信デバイス１０２）が、送信ワイヤレスデバイスで受信される通信から送信ビームフォーミング利得を引き出すことを可能にする。
【００２０】
[0028]  ワイヤレス通信システムは、利用可能なシステムリソース（例えば、帯域幅および送信電力）を共有することによって、複数のワイヤレス通信デバイス１０２との通信をサポートすることができる多元接続システムであり得る。このような多元接続システムの例は、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、エボリューションデータオプティマイズド（ＥＶ−ＤＯ）、シングルキャリア周波数分割多元接続（ＳＣ−ＦＤＭＡ）システム、第３世代パートナーシッププロジェクト（３ＧＰＰ（登録商標））ロングタームエボリューション（ＬＴＥ（登録商標））システム、および空間分割多元接続（ＳＤＭＡ）システムを含む。
【００２１】
[0029]  「ネットワーク」および「システム」という用語は、しばしば交換可能に使用される。ＣＤＭＡネットワークは、ユニバーサル地上無線アクセス（ＵＴＲＡ）、ｃｄｍａ２０００のような無線技術を実装し得る。ＵＴＲＡがＷ−ＣＤＭＡおよび低チップレート（ＬＣＲ）を含む一方、ｃｄｍａ２０００は、ＩＳ−２０００、ＩＳ−９５、およびＩＳ―８５６標準規格をカバーする。ＴＤＭＡネットワークは、グローバル・システム・フォー・モバイル・コミュニケーションズ（ＧＳＭ（登録商標））のような無線技術を実装し得る。ＯＦＤＭＡネットワークは、進化型ＵＴＲＡ（Ｅ−ＵＴＲＡ）、ＩＥＥＥ ８０２．１１、ＩＥＥＥ ８０２．１６、ＩＥＥＥ ８０２．２０、フラッシュＯＦＤＭ（登録商標）などのような無線技術を実装し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを用いるＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた団体からの文書内で説明され、ｃｄｍａ２０００は、「第３世代パートナーシッププロジェクト２」（３ＧＰＰ２）と名付けられた団体からの文書内で説明される。
【００２２】
[0030]  第３世代パートナーシッププロジェクト（３ＧＰＰ）は、グローバルに適用可能な第３世代（３Ｇ）モバイルフォン規格を定義することを目的とした、電気通信協会のグループ間のコラボレーションである。３ＧＰＰロングタームエボリューション（ＬＴＥ）は、ユニバーサルモバイル電気通信システム（ＵＭＴＳ）モバイルフォン規格を改善することを目的とした、３ＧＰＰプロジェクトである。３ＧＰＰは、次世代のモバイルネットワーク、モバイルシステム、およびモバイルデバイスのための規格を定義し得る。
【００２３】
[0031]  ３ＧＰＰロングタームエボリューション（ＬＴＥ）およびＵＭＴＳ、ワイヤレス通信デバイス１０２は、「ユーザ機器（user equipment）」（ＵＥ）と呼ばれ得る。３ＧＰＰグローバル・システム・フォー・モバイル・コミュニケーションズ（ＧＳＭ）では、ワイヤレス通信デバイス１０２は、「モバイル局（mobile station）」（ＭＳ）と呼ばれ得る。ワイヤレス通信デバイス１０２はまた、端末、アクセス端末、加入者ユニット、局などとも呼ばれ、それらの機能性のいくつかまたは全てを含み得る。ワイヤレス通信デバイス１０２は、セルラフォン、携帯情報端末（ＰＤＡ）、ワイヤレスデバイス、ワイヤレスモデム、ハンドヘルドデバイス、ラップトップコンピュータ、セッション開始プロトコル（ＳＩＰ：Session Initiation Protocol）電話、ワイヤレスローカルループ（ＷＬＬ）局などを含み得る。
【００２４】
[0032]  ワイヤレス通信デバイス１０２は、ＦＭ受信機１０４を含み得、それはＦＭ Ｒｘアンテナ１１８を介してＦＭブロードキャストを受信し得る。ある構成では、ＦＭ Ｒｘアンテナ１１８は、ワイヤレス通信デバイス１０２に接続される有線ヘッドセット内に存在し得る。
【００２５】
[0033]  ワイヤレス通信デバイス１０２は、誘導ベースの通信トランシーバ１０６を含み得、それは、磁気誘導を使用して別のワイヤレス通信デバイス１０２（例えば、ターゲット）との無線通信を確立し得る。ある構成では、誘導ベースの通信トランシーバ１０６は、近距離通信（ＮＦＣ）プロトコルに従って動作するＮＦＣトランシーバであり得る。誘導ベースの通信トランシーバ１０６は、送信機１０８と受信機１１２とを含み得る。
【００２６】
[0034]  誘導ベースの通信送信機１０８は、誘導ベースの通信送信アンテナ１１４を介して信号を別のワイヤレス通信デバイス１０２に送信し得る。１つまたは複数の送信（Ｔｘ）高調波１１６は、信号の送信から生成され得る。Ｔｘ高調波（Tx harmonics）１１６はまた、スプリアス輻射（spurious emission）またはスプール（spur）とも呼ばれ得る。Ｔｘ高調波１１６は、複数の所与の送信周波数１１０であり得る。例えば、１００Ｈｚの第３高調波は、３００Ｈｚである。Ｔｘ高調波１１６は、ＦＭブロードキャストバンド（例えば、７６−１０８メガヘルツ（ＭＨｚ））に落ち得る。Ｔｘ高調波１１６はＦＭ Ｒｘアンテナ１１８で受信され得、１つまたは複数のＦＭチャネルを感度低下させ得る。
【００２７】
[0035]  ワイヤレス通信デバイス１０２は、ＦＭ受信機１０４と誘導ベースの通信送信機１０８の同時動作を提供するための、同時処理モジュール（concurrency module）１２２を含み得る。同時処理モジュール１２２は、ＦＭ受信機１０４がオンにされるかどうか、および誘導ベースの通信によって感度低下されたＦＭチャネルに同調されるかどうかを決定し得る。言い換えると、同時処理モジュール１２２は、同調されたＦＭチャネル１２０が、感度低下されたＦＭチャネル１２４であるかどうかを決定し得る。ある構成では、同時処理モジュール１２２は、同調されたＦＭチャネル１２０をＦＭ受信機１０４から受信し得る。
【００２８】
[0036]  同時処理モジュール１２２は、同調されたＦＭチャネル１２０を、感度低下されたＦＭチャネル１２４のリストまたは表と比較し得る。同時処理モジュール１２２が、ＦＭ受信機１０４がオンにされ感度低下されたＦＭチャネル１２４に同調されることを決定する場合、そのときには同時処理モジュール１２２は、一時的な周波数シフト１２６によって誘導ベースの通信送信機１０８の送信周波数１１０を調整し得る。例えば、同時処理モジュール１２２が、小さいファクタだけ誘導ベースの通信送信機１０８の送信周波数１１０をシフトする場合、そのときにはＴｘ高調波１１６は、ＦＭチャネルの２００ｋＨｚのＦＭ Ｒｘチャネル帯域幅から離れてシフトされ得る。
【００２９】
[0037]  同時処理モジュール１２２は、誘導ベースの通信送信機１０８の送信周波数１１０がシフトされ得る量に基づいて、感度低下のレベルを制御し得る。誘導ベースの通信送信機１０８の送信周波数１１０が予想よりも大きくシフトされる場合、他の誘導ベースの通信デバイスとの相互運用性（interoperability）は影響を受け得る。しかしながら、干渉信号が同一チャネルのロケーションから隣接するチャネルへと動かされるとき、ＦＭ受信機１０４の感度の著しい向上が見られ得る。干渉スプール（interfering spur）（例えば、Ｔｘ高調波１１６）は、図５に関連して下記で説明されるように、ＦＭ受信機１０４の帯域幅の中心にあるときよりもむしろ、ＦＭ受信機１０４の帯域幅のエッジにあるときに、ＦＭ感度の著しい向上があるだろう。
【００３０】
[0038]  ＦＭ受信機が、影響を受けたＦＭチャネル（例えば、感度低下されたＦＭチャネル１２４のうちの１つ）に同調されるとき、同時処理モジュール１２２は、誘導ベースの通信送信機１０８の送信周波数１１０を調整し得る。同時処理モジュール１２２はまた、同調されたＦＭチャネル１２０が、誘導ベースの通信送信周波数１１０の高調波から周波数閾値１２８内にあるとき、誘導ベースの通信送信機１０８の送信周波数１１０を調整し得る。例えば、同時処理モジュール１２２は、ＦＭ受信機１０４が、感度低下されたＦＭチャネル１２４の一定量内にあるＦＭチャネル１２０に同調されるとき、送信周波数１１０を調整し得る。他のＦＭチャネル（周波数閾値１２８内にない）については、誘導ベースの通信送信機１０８の送信周波数１１０の一時的な周波数シフト１２６が行われない。
【００３１】
[0039]  図２は、誘導ベースの通信によって送信の干渉を低減するための方法２００の１つの構成を示すフロー図である。ある実装では、ワイヤレス通信デバイス１０２は、ＮＦＣによるＦＭの感度低下を軽減するために、図２で図示される方法２００を行い得る。
【００３２】
[0040]  ワイヤレス通信デバイス１０２は、ＦＭ受信機１０４がオンにされるかどうかを決定し得る（２０２）。ワイヤレス通信デバイス１０２は、ＦＭブロードキャストを受信し得る。ある構成では、ワイヤレス通信デバイス１０２のＦＭ受信機１０４は、ＦＭブロードキャストバンド（例えば、７６−１０８ＭＨｚ）内にある、同調されたＦＭチャネル１２０を受信し得る。
【００３３】
[0041]  ワイヤレス通信デバイス１０２は、ＦＭ受信機１０４が誘導ベースの通信送信機１０８からの干渉を経験するＦＭチャネルに同調されることを決定する（２０４）。誘導ベースの通信の磁界は、ＦＭ受信機１０４と誘導結合され得る。ＦＭ受信機１０４は、誘導ベースの通信送信機１０８の送信周波数１１０に関連付けられた１つまたは複数のＴｘ高調波１１６を受信し得る。Ｔｘ高調波１１６は、同調されたＦＭチャネル１２０の帯域幅内に落ち得、それは、ＦＭチャネルに干渉し得る。
【００３４】
[0042]  ワイヤレス通信デバイス１０２は、同調されたＦＭチャネル１２０を、感度低下されたＦＭチャネル１２４のリストまたは表と比較し得る。ある構成では、感度低下されたＦＭチャネル１２４は、Ｔｘ高調波１１６の周波数に対応する周波数を有するＦＭチャネルであり得る。
【００３５】
[0043]  ワイヤレス通信デバイス１０２が、ＦＭ受信機１０４がオンにされること、および誘導ベースの通信送信機１０８によって感度低下されたＦＭチャネルに同調されることを決定する場合、そのときにはワイヤレス通信デバイス１０２は、一時的な周波数シフト１２６によって誘導ベースの通信送信機１０８の送信周波数１１０を調整し得る（２０６）。一時的な周波数シフト１２６は、ＦＭ受信機１０４との干渉を低減し得る。例えば、誘導ベースの通信送信機１０８の送信周波数１１０を調整することによって、Ｔｘ高調波１１６の周波数は、同調されたＦＭチャネル１２０から離れてシフトされ得る。
【００３６】
[0044]  図３は、送信の干渉を低減するためのシステムおよび方法が実装され得るワイヤレス通信デバイス３０２の別の構成を図示するブロック図である。ワイヤレス通信デバイス３０２は、ＦＭ受信機３０４と近距離通信（ＮＦＣ：near field communication）トランシーバ３０６とを含み得る。ＦＭ受信機３０４は、ＦＭ Ｒｘアンテナ３１８を介して、ＦＭブロードキャストを受信し得る。ある構成では、ＦＭ Ｒｘアンテナ３１８は、ワイヤレス通信デバイス３０２に接続される有線ヘッドセット内に存在し得る。
【００３７】
[0045]  ワイヤレス通信デバイス３０２は、ＮＦＣトランシーバ３０６を含み得る。ＮＦＣトランシーバ３０６は、ＮＦＣ送信機３０８とＮＦＣ受信機３１２とを含み得る。ＮＦＣトランシーバ３０６は、ＮＦＣプロトコルを使用して、別のワイヤレス通信デバイス３０２（例えば、ターゲットまたはＮＦＣターゲットデバイス）との無線通信を確立し得る。ＮＦＣは、誘導ベースの通信技術である。入力電力は、エネルギー転送を提供するための放射界（radiated field）を生成するために、ＮＦＣ送信機３０８に提供され得る。別のワイヤレス通信デバイス３０２（図示されない）のＮＦＣ受信機３１２は、放射界に結合され得、出力電力を生成し得る。２つのＮＦＣ利用可能ワイヤレス通信デバイス３０２は、距離を空けて離され得る。
【００３８】
[0046]  ある構成では、１つのワイヤレス通信デバイス３０２のＮＦＣ送信機３０８と、他のワイヤレス通信デバイス３０２のＮＦＣ受信機３１２とは、相互共振（mutual resonant）の関係に従って構成される。ＮＦＣ受信機３１２の共振周波数と、ＮＦＣ送信機３０８の共振周波数とが極めて近いとき、ＮＦＣ受信機３１２が放射界の「近距離場（near field）」に位置付けられるときに、ＮＦＣ送信機３０８とＮＦＣ受信機３１２との間の送信損失は最小になる。
【００３９】
[0047]  ワイヤレス通信デバイス３０２は、ＮＦＣループアンテナ３１４を含み得る。ＮＦＣループアンテナ３１４は、エネルギー送信および受信のための手段を提供し得る。上述されるように、効率的なエネルギー転送は、エネルギーの大部分を電磁波で遠距離場（far field）に伝搬するよりもむしろ、送信アンテナの近距離場（near field）におけるエネルギーの大半を受信アンテナに結合することによって起こる。このような近距離場にあるとき、結合モードは、ＮＦＣループアンテナ３１４の間で展開され得る。この近距離結合が起こり得るＮＦＣループアンテナ３１４の周囲のエリアを、本明細書では結合モード領域（coupling-mode region）と呼ぶ。
【００４０】
[0048]  ＮＦＣデバイスは、通信が確立されるのを可能にするために、十分な情報を取得し得る。確立され得る通信の１つの形式は、国際標準化機構のデータ交換プロトコル（ＩＳＯ−ＤＥＰ）通信リンクである。ＮＦＣデバイス間の通信は、ＮＦＣ−Ａ、ＮＦＣ−Ｂなどを含むがこれらに限定されない、様々なＮＦＣ無線周波数（ＲＦ）技術を介して利用可能にされ得る。
【００４１】
[0049]   ＮＦＣ利用可能ワイヤレス通信デバイス３０２は、ワイヤレス通信デバイス３０２のＮＦＣカバレッジエリアの範囲内にあるとき、ＮＦＣターゲットデバイスおよび／またはパワーを使用しない（unpowered）ＮＦＣチップ（例えば、ＮＦＣタグ（tag））を認識し得る。ＮＦＣは、イニシエータおよびターゲットを含み得る。イニシエータは、放射界を動的に生成し得る。ターゲットは、受動的（passive）であり得、放射界によって駆動され（powered）得る。
【００４２】
[0050]  ワイヤレス通信デバイス３０２は、複数のＮＦＣの使用ケースに従って動作し得る。ある使用ケースでは、ワイヤレス通信デバイス３０２は、ワイヤレス通信デバイス３０２が動的に送信されているイニシエータとして機能して得る。この場合、ワイヤレス通信デバイス３０２は、ＮＦＣタグ（例えば、受動的タグ（passive tag））のリーダのように機能している。さらに、この場合、ワイヤレス通信デバイス３０２は、放射界を生成している。
【００４３】
[0051]  別の使用ケースでは、ワイヤレス通信デバイス３０２は、ピア・ツー・ピアモードにある。このケースでは、ワイヤレス通信デバイス３０２は、別のＮＦＣピアデバイスと通信中であり得る。ワイヤレス通信デバイス３０２は、放射界を生成するイニシエータとして機能することができるか、またはワイヤレス通信デバイス３０２は、ＮＦＣピアデバイスの放射界を変調している負荷であるターゲット（target）として機能することができる。
【００４４】
[0052]  第３の使用ケースの場合、ワイヤレス通信デバイス３０２は、カードエミュレーション（card emulation）を行い得る。このケースでは、ワイヤレス通信デバイス３０２は、ターゲットの役割（例えば、受動的な役割（passive role））を行い得る。ワイヤレス通信デバイス３０２は、任意の放射界を開始しない可能性がある。代わりに、ワイヤレス通信デバイス３０２は、別のＮＦＣデバイスの放射界を変調し得る。
【００４５】
[0053]  ある構成では、ＮＦＣ送信機３０８は、ＮＦＣループアンテナ３１４を介してＮＦＣタグまたは別のワイヤレス通信デバイス３０２にＮＦＣ信号を送信し得る。ＮＦＣは通常、１３．５６ＭＨｚで動作する。１つまたは複数のＴｘ高調波３１６は、ＮＦＣ信号の送信から生成され得る。Ｔｘ高調波３１６は、ＦＭブロードキャストバンド（例えば、７６−１０８メガヘルツ（ＭＨｚ））に落ち（fall in）得る。例えば、第６高調波（例えば、６×１３．５６ＭＨｚ＝８１．３６ＭＨｚ）、第７高調波（例えば、７×１３．５６ＭＨｚ＝９４．９２ＭＨｚ）、および第８高調波（例えば、８×１３．５６ＭＨｚ＝１０８．４８ＭＨｚ）は、ＦＭブロードキャストバンド上に落ちる（fall onto）。
【００４６】
[0054]  １つまたは複数のＴｘ高調波３１６は、ＦＭ Ｒｘアンテナ３１８で受信され得、それは、１つまたは複数のＦＭチャネルと干渉（例えば、感度低下）し得る。例えば、第６高調波は、日本で使用されるＦＭ帯域（７６−９０ＭＨｚ）と干渉し得る一方、第７および第８高調波は、米国、欧州、および他の地域で使用されるＦＭ帯域（８７．７−１０８．０ＭＨｚ）と干渉し得る。ＦＭチャネルは、０．１、０．３、０．５、０．７、および０．９ＭＨｚで終わる中心周波数を有し得る。いくつかの国々では、ＦＭチャネルはまた、０．０、０．２、０．４、０．６、および０．８ＭＨｚで終わる中心周波数を有し得る。ＦＭチャネルは、２００ｋＨｚの幅であり得る。Ｔｘ高調波３１６がＦＭ動作周波数上に落ちるとき、およびＦＭ信号が弱い（例えば、弱いＦＭ局）とき、そのときにはワイヤレス通信デバイス３０２のユーザは、ＦＭチャネル上のＴｘ高調波３１６の影響を聞き取り（hear）得る。
【００４７】
[0055]  現在、既知の解決法は、ＦＭチャネルが感度低下されたままにすることを許容するか、あるいは、ＮＦＣトランザクション中にＦＭをミュートする、またはシステムオーディオトーンを出すことによって、オーディオの悪化をマスキングすることを試みる。例えば、既知のアプローチによると、ワイヤレス通信デバイス３０２がタグの読み取り（ワイヤレス通信デバイス３０２が、タグまたはリーダ（reader）のいずれかとして機能している）を検出するとき、またはワイヤレス通信デバイス３０２がピア・ツー・ピアモードにある場合、ワイヤレス通信デバイス３０２は、ＮＦＣ送信中にＦＭオーディオをミュートし、システムトーン（例えば、ビープ音）を出し得る。言い換えると、既知のアプローチは、ＮＦＣ送信中にＦＭオーディオをマスキングする。これら既知の解決法は、十分な同時処理を制限するか、または極めて劣化したＦＭオーディオの品質およびチャネル効率をもたらす。これらの問題は、制限されたＦＭ放送局を有する国（たとえば、インド）で特に顕著である。
【００４８】
[0056]  あるシナリオでは、ＮＦＣデバイスは、ポーリング動作（polling operation）を行い得る。例えば、ＮＦＣデバイスは、他のＮＦＣデバイスおよび／またはＮＦＣタグの存在を定期的に確認し得る。ポーリング期間は、プログラム可能であり得るが、ポーリングは通常、３００ミリ秒（ｍｓ）ごとに発生し、ポーリングは一度に１０〜３０ｍｓの間持続し得る。従って、ＮＦＣ利用可能ワイヤレス通信デバイス３０２は、継続的に、外に出ており（going out）、そしてＦＭオーディオを傷つけ（puncturing）し得、それは、ワイヤレス通信デバイス３０２のユーザに聴き取られ得る。ある構成では、ＮＦＣポーリングは、ワイヤレス通信デバイス３０２のディスプレイがオンにされるときに、発生し得る。別の構成では、ＮＦＣポーリングは、ワイヤレス通信デバイス３０２が休止しているようなときでさえ、発生し得る。従って、ユーザがＦＭチャネルを聴いており、ディスプレイがオフである場合、ＮＦＣポーリングは、可聴のＦＭ干渉を引き起こし得る。
【００４９】
[0057]  ＦＭチャネルの感度低下のレベルは、ＮＦＣループアンテナ３１４に対するＦＭ Ｒｘアンテナ３１８（例えば、有線ヘッドセット）の相対位置に基づいて変化し得る。有線ヘッドセットは、ＦＭ Ｒｘアンテナ３１８が存在し得る場所である。さらに、干渉のレベルは、ＮＦＣトランザクションのタイプに基づいて変化し得る。観測は、ＦＭチャネル上のＮＦＣ  Ｔｘ高調波３１６による最小１０デシベル（ｄＢ）から５０ｄＢよりも大きい干渉を示している。
【００５０】
[0058]  使用される送信周波数３１０のリニエンシー（leniency）が、ＮＦＣのためのプロトコルに組み込まれている。言い換えると、ＮＦＣ送信周波数３１０は、１３．５６ＭＨｚとして指定されるが、１３．５６ＭＨｚからプラスマイナス７ｋＨｚの周波数がＮＦＣ送信での使用に適用できる。従って、ＮＦＣは、指定されたプラスマイナス７ｋＨｚの帯域幅のレンジを有する。ＦＭ受信機３０４との干渉を低減させるために、ワイヤレス通信デバイス３０２が１３．５６ＭＨｚから離れるように送信周波数３１０をシフトし（shift the transmit frequency 310 off of 13. 56 MHz）得る。ある構成では、送信周波数３１０は、ＦＭ受信機３０４がＴｘ高調波３１６によって影響され得る同調されたＦＭチャネル３２０上にあるとき、指定されたプラスマイナス７ｋＨｚの帯域幅のレンジ内に移動され得る。
【００５１】
[0059]  ワイヤレス通信デバイス３０２は、ＮＦＣとＦＭ動作の同時処理を提供するための同時処理モジュール（concurrency module）３２２を含み得る。同時処理モジュール３２２は、ＦＭ受信機３０４とＮＦＣトランシーバ３０６との間の通信を提供し得る。同時処理モジュール３２２は、ＦＭ受信機３０４がオンにされるかどうか、およびＮＦＣによって感度低下されたＦＭチャネル３２４に同調されるかどうかを決定し得る。同時処理モジュール３２２は、同調されたＦＭチャネル３２０をＦＭ受信機３０４から受信し得る。ある構成では、同時処理モジュール３２２は、同調されたＦＭチャネル３２０を、ＮＦＣによって感度低下されたＦＭチャネル３２４のリストまたは表と比較し得る。例えば、ＮＦＣによって感度低下されたＦＭチャネル３２４のリストまたは表は、ＮＦＣ第６高調波によって感度低下されたチャネル３３０、ＮＦＣ第７高調波によって感度低下されたチャネル３３２、および／またはＮＦＣ第８高調波によって感度低下されたチャネル３３４を含み得る。この比較は、ルックアップテーブルに基づき得る。
【００５２】
[0060]  別の構成では、同時処理モジュール３２２は、同調されたＦＭチャネル３２０が、周波数閾値３２８の比較に基づいてＮＦＣによって感度低下されたＦＭチャネル３２４であるかどうかを決定し得る。ＮＦＣによって感度低下されたＦＭチャネル３２４は、ＮＦＣ Ｔｘ高調波３１６の周波数閾値３２８内にあり得る。例えば、周波数閾値３２８は、プラスマイナス０. ３ＭＨｚであり得る。ワイヤレス通信デバイス３０２は、同調されたＦＭチャネル３２０がプラスマイナス０．３ＭＨｚ内であるかどうかを決定し得る。この場合、ＮＦＣ第６高調波（例えば、８１．３６ＭＨｚ）によって感度低下されたチャネル３３０は、８１．１、８１．３、および８１．５ＭＨｚを含み得る。ＮＦＣ第７高調波（例えば、９４．９２ＭＨｚ）によって感度低下されたチャネル３３２は、９４．７、９４．９、および９５．１ＭＨｚを含み得る。周波数閾値３２８の値は、より多いまたはより少ないＦＭチャネルを含むように調整され得ることに留意されたい。言い換えると、周波数閾値３２８を増加させることによって、より多くの周囲のＦＭチャネルが含まれ得る。同様に、周波数閾値を減少させることによって、より少ない周囲のＦＭチャネルが含まれ得る。
【００５３】
[0061]  同時処理モジュール３２２が、ＦＭ受信機３０４がオンにされること、およびＮＦＣによって感度低下されたＦＭチャネル３２４に同調されることを決定する場合、そのときには同時処理モジュール３２２は、一時的な周波数シフト３２６によってＮＦＣ送信機３０８の送信周波数３１０を調整し得る。ある構成では、一時的な周波数シフト３２６は、プラスマイナス７ｋＨｚ以内であり得る。従って、一時的な周波数シフト３２６は指定されたＮＦＣの送信周波数帯域幅内にあり得る。同時処理モジュール３２２が、小さいファクタによってＮＦＣ送信機３０８の送信周波数３１０をシフトする場合、そのときには、Ｔｘ高調波３１６は、２００ｋＨｚのＦＭ Ｒｘチャネル帯域幅の中心から離れて有効にシフトされ得ることに留意されたい。
【００５４】
[0062]  同時処理モジュール３２２は、ＮＦＣ送信機３０８の送信周波数３１０がシフトされ得る量に基づいて、感度低下のレベルを制御し得る。ＮＦＣ送信機３０８の送信周波数３１０が予想よりも大きく（例えば、ＮＦＣプロトコルによって提供されるような７ｋＨｚよりも大きく）シフトされる場合、他のＮＦＣデバイスおよびＮＦＣタグとの相互運用性は影響を受け得る。しかしながら、干渉信号が同一チャネルのロケーションから隣接するチャネルへと動かされるとき、ＦＭ受信機３０４の感度において著しい向上が見られ得る。一時的な周波数シフト３２６が他のＮＦＣおよび／または無線周波数識別（ＲＦＩＤ）デバイスおよびタグとの相互運用性の問題を引き起こすケースでは、一時的な周波数シフト３２６は低減され得る。干渉スプール（interfering spur）が、ＦＭ受信機３０４の帯域幅の中心にあるよりもむしろ、ＦＭ受信機３０４の帯域幅のエッジにあるときに、ＦＭ感度の著しい向上があるだろう。同時処理モジュール３２２が、同調されたＦＭチャネル３２０がＮＦＣによって感度低下されたＦＭチャネル３２４ではないことを決定する場合、そのときには、ＮＦＣ送信機３０８の送信周波数３１０の一時的な周波数シフト３２６は実装されない。
【００５５】
[0063]  ある構成では、同時処理モジュール３２２は、Ｔｘ高調波３１６への同調されたＦＭチャネル３２０のロケーションに基づいてＮＦＣ送信機３０８の送信周波数をシフトし得る。ＮＦＣ帯域幅がスプールの帯域幅よりも大きくなり得るため、干渉は、同調されたＦＭチャネル３２０とＴｘ高調波３１６との間の距離を最大化することによって低減され得る。同調されたＦＭチャネル３２０がＴｘ高調波３１６の周波数よりも低い場合、そのときには一時的な周波数シフト３２６は、正のシフト（positive shift）となり得る。例えば、ＦＭ受信機３０４が９４．９ＭＨｚに同調される場合、そのときには一時的な周波数シフト３２６は、ＮＦＣ第７高調波からＦＭチャネルの中心の距離を最大化するために＋７ｋＨｚとなり得る。このケースでは、ＮＦＣ第７高調波は、９４．９２ＭＨｚから９４．９６９ＭＨｚまでシフトし得る。
【００５６】
[0064]  同調されたチャネル３２０がＴｘ高調波３１６周波数よりも大きい場合、そのときには一時的な周波数シフト３２６は、負のシフト（negative shift）となり得る。例えば、ＦＭ受信機３０４が９５．１ＭＨｚに同調される場合、そのときには一時的な周波数シフト３２６は、ＮＦＣ第７高調波からＦＭチャネルの中心の距離を最大化するために−７ｋＨｚとなり得る。このケースでは、ＮＦＣ第７高調波は、９４．９２ＭＨｚから９４．８７１ＭＨｚまでシフトし得る。
【００５７】
[0065]  図４は、ＮＦＣによって送信の干渉を低減するための方法４００の１つの構成を図示するフロー図である。ワイヤレス通信デバイス３０２は、ＮＦＣによるＦＭの感度低下を軽減するために、図４で図示される方法４００を行い得る。
【００５８】
[0066]  ワイヤレス通信デバイス３０２は、ＦＭ受信機３０４がオンにされるかどうかを決定し得る（４０２）。ワイヤレス通信デバイス３０２は、ＦＭブロードキャストを受信し得る。ワイヤレス通信デバイス３０２は、ＦＭ受信機３０４がアクティブであるかどうかを決定し得る（４０２）。ワイヤレス通信デバイス３０２が、ＦＭ受信機３０４がオンにされないことを決定する（４０２）場合、そのときにはワイヤレス通信デバイス３０２は、ＮＦＣ送信機３０８の送信周波数３１０を使用してＮＦＣ送信を進め得る。
【００５９】
[0067]  ワイヤレス通信デバイス３０２が、ＦＭ受信機３０４がオンにされることを決定する（４０２）場合、そのときにはワイヤレス通信デバイス３０２は、ＦＭ受信機３０４がＮＦＣによって感度低下されたＦＭチャネル３２４に同調されるかどうかを決定し得る（４０４）。ある構成では、ワイヤレス通信デバイス３０２は、同調されたＦＭチャネル３２０を、ＮＦＣによって感度低下されたＦＭチャネル３２４のリストまたは表と比較し得る。別の構成では、ワイヤレス通信デバイス３０２は、同調されたＦＭチャネル３２０が、周波数閾値３２８の比較に基づいてＮＦＣによって感度低下されたＦＭチャネル３２４であるかどうかを決定（４０４）し得る。ＮＦＣによって感度低下されたＦＭチャネル３２４は、ＮＦＣ Ｔｘ高調波３１６の周波数閾値３２８内にあり得る。これは、図３に関連して上述されるように達成され得る。
【００６０】
[0068]  ワイヤレス通信デバイス３０２が、ＦＭ受信機３０４がＮＦＣによって感度低下されたＦＭチャネル３２４に同調されることを決定（４０４）する場合、そのときにはワイヤレス通信デバイス３０２は、一時的な周波数シフト３２６によってＮＦＣ送信機３０８の送信周波数を調整（４０８）し得る。ある構成では、一時的な周波数シフト３２６は、プラスマイナス７ｋＨｚ以内であり得る。一時的な周波数シフト３２６によってＮＦＣ送信機３０８の送信周波数３１０を調整する際、ワイヤレス通信デバイス３０２は、ＮＦＣ送信を進め得る（４０６）。
【００６１】
[0069]  ワイヤレス通信デバイス３０２が、ＦＭ受信機３０４がＮＦＣによって感度低下されたＦＭチャネル３２４に同調されないことを決定（４０４）する場合、そのときにはワイヤレス通信デバイス３０２は、ＮＦＣ送信を進め得る（４０６）。言い換えると、同調されたＦＭチャネル３２０がＮＦＣによって感度低下され得ない場合、そのときにはワイヤレス通信デバイス３０２は、ＮＦＣ送信機３０８の送信周波数３１０をシフトすることなく、ＮＦＣ送信を進め得る（４０６）。
【００６２】
[0070]  図５は、ＮＦＣによる送信の干渉を低減する例を図示するグラフである。この例は、同調されたＦＭチャネル５２０に関連するＮＦＣ送信周波数５１０の一時的な周波数シフト５２６の効果を図示する。ワイヤレス通信デバイス３０２は、図３に関連して上述されるように、ＦＭ受信機３０４およびＮＦＣトランシーバ３０６を含み得る。ＦＭ受信機３０４は、９４．９ＭＨｚの同調されたＦＭチャネル５２０上にあり得る。同調されたＦＭチャネル５２０は、９４．９ＭＨｚに中心がある２００ｋＨｚの受信機帯域幅５３６を有する。
【００６３】
[0071]  ＮＦＣ送信機３０８は、１３．５６ＭＨｚのＮＦＣ送信周波数５１０において始めに動作し得る。ＮＦＣ送信周波数５１０の第７高調波に対応するＴｘ高調波５１６は、９４．９２ＭＨｚ（例えば、７×１３．５６ＭＨｚ）の周波数を有し得る。ＮＦＣ送信周波数５１０によって生成されたＴｘ高調波５１６は、同調されたＦＭチャネル５２０の近くに位置付けられることに留意されたい。これは、９４．９２ＭＨｚで、またはその近く、特に９４．９ＭＨｚにおいて同調されたＦＭチャネル５２０で、ＦＭチャネルの感度低下を引き起こし得る。干渉がＦＭチャネルの中心にあるとき、干渉がＦＭ受信機帯域幅５３６のエッジにあるときと比較すると、オーディオの信号対雑音比（ＳＮＲ：signal to noise ratio）での低下が大きい。
【００６４】
[0072]  ７ｋＨｚの一時的な周波数シフト５２６は、ＮＦＣ送信周波数５１０に適用され得る。一時的な周波数シフト５２６は、ＮＦＣ送信周波数５１０を１３．５６７ＭＨｚにシフトし得る。一時的な周波数シフト５２６は、４９ｋＨｚのＴｘ高調波５１６において対応するシフトを生成し得る。この場合、Ｔｘ高調波５１６（例えば、ＮＦＣ送信周波数５１０の第７高調波）におけるシフトは、一時的な周波数シフト５２６の７倍（例えば、７×７ｋＨｚ）である。微少な（minute）一時的な周波数シフト５２６をＮＦＣ送信周波数５１０に適用することによって、Ｔｘ高調波５１６は、同調されたＦＭチャネル５２０のＦＭ受信機帯域幅５３６の中心から離れてシフトされ得、それは、低減された送信干渉を引き起こし得る。
【００６５】
[0073]  図６は、シフトされていないＮＦＣ第６高調波６４２およびシフトされたＮＦＣ第６高調波６４４についての例示的なＦＭ受信感度６３８を図示するグラフである。ＦＭ受信感度６３８は、１ミリワット（ｍＷ）を基準とする測定された電力のデシベル（ｄＢ）における電力比として表される（ｄＢｍ）。ＦＭ受信感度６３８は、同調されたＦＭチャネル６２０（８１．０−８１．７ＭＨｚ）に関連して示される。干渉（例えば、Ｔｘ高調波３１６）が存在しないケースでは、ベースライン感度（baseline sensitivity）６４０は、−１０５ｄＢｍである（負の値は受信された信号を示す）。
【００６６】
[0074]  ＦＭ受信感度６３８上の、シフトされていないＮＦＣ第６高調波６４２およびシフトされたＮＦＣ第６高調波６４４の効率は、同調されたＦＭチャネル６２０の周波数に関連して示される。シフトされていないＮＦＣ第６高調波６４２、およびシフトされたＮＦＣ第６高調波６４４は各々、−７５ｄＢｍの信号強度を有し得る。シフトされていないＮＦＣ第６高調波６４２の存在下では、ＦＭ受信感度６３８は、ＦＭ周波数８１．２−８１．６ＭＨｚの間で低減され得る。シフトされていないＮＦＣ第６高調波６４２による、ＦＭ受信感度６３８に対する最大の影響は、ＦＭ受信感度６３８が−７３ｄＢｍまで落ちる、８１．４ＭＨｚで発生する。
【００６７】
[0075]  ＮＦＣ送信機３０８の送信周波数３１０は、シフトされたＮＦＣ第６高調波６４４を生成するために、プラスマイナス７ｋＨｚだけシフトされる。同調されたＦＭチャネル６２０が、ＮＦＣ第６高調波（例えば、６×１３．５６ＭＨｚ＝８１．３６ＭＨｚ）より大きい場合、そのときにはＮＦＣ送信機３０８の送信周波数３１０は、マイナス７ｋＨｚだけシフトされる。これは、シフトされたＮＦＣ第６高調波６４４と、同調されたＦＭチャネル６２０との間の距離を最大化し得る。代替的に、同調されたＦＭチャネル６２０がＮＦＣ第６高調波より小さい場合、そのときにはＮＦＣ送信機３０８の送信周波数３１０は、プラス７ｋＨｚだけシフトされる。
【００６８】
[0076]  シフトされたＮＦＣ第６高調波６４４の存在下では、ＦＭ受信感度６３８は、ＦＭ周波数８１．２−８１．５ＭＨｚの間で低減される。図６で見られるように、シフトされたＮＦＣ第６高調波６４４は、ＮＦＣ送信によって引き起こされるＦＭの感度低下の量を低減する。
【００６９】
[0077]  図７は、シフトされていないＮＦＣ第７高調波７４２、およびシフトされたＮＦＣ第７高調波７４４についての例示的なＦＭ受信感度７３８を図示するグラフである。ＦＭ受信感度７３８は、同調されたＦＭチャネル７２０（９４．５−９５．５ＭＨｚ）の周波数に関連して示される。干渉（例えば、Ｔｘ高調波３１６）が存在しないケースでは、ベースライン感度７４０は、−１０４ｄＢｍである。
【００７０】
[0078]  ＦＭ受信感度７３８における、シフトされていないＮＦＣ第７高調波７４２およびシフトされたＮＦＣ第７高調波７４４の効果が、ＦＭ周波数に関連して示される。シフトされていないＮＦＣ第７高調波７４２、およびシフトされたＮＦＣ第７高調波７４４は各々、−７５ｄＢｍの信号強度を有し得る。シフトされていないＮＦＣ第７高調波７４２の存在下では、ＦＭ受信感度７３８は、ＦＭ周波数９４．７−９５．１ＭＨｚの間で低減され得る。
【００７１】
[0079]  ＮＦＣ送信機３０８の送信周波数３１０は、シフトされたＮＦＣ第７高調波７４４を生成するために、プラスマイナス７ｋＨｚだけシフトされる。同調されたＦＭチャネル７２０が、ＮＦＣ第７高調波（例えば、７×１３．５６ＭＨｚ＝９４．９２ＭＨｚ）より大きい場合、そのときにはＮＦＣ送信機３０８の送信周波数３１０は、マイナス７ｋＨｚだけシフトされる。これは、シフトされたＮＦＣ第７高調波７４４と、同調されたＦＭチャネル７２０との間の距離を最大化し得る。代替的に、同調されたＦＭチャネル７２０がＮＦＣ第７高調波より小さい場合、そのときにはＮＦＣ送信機３０８の送信周波数３１０は、プラス７ｋＨｚだけシフトされる。
【００７２】
[0080]  シフトされたＮＦＣ第７高調波７４４の存在下では、ＦＭ受信感度７３８は、ＦＭ周波数９４．８−９５．１ＭＨｚの間で低減され得る。図７で見られるように、シフトされたＮＦＣ第７高調波７４４は、ＮＦＣ送信によって引き起こされるＦＭ感度低下の量を低減する。
【００７３】
[0081]  図８は、干渉オフセット８４８に関連する例示的なＦＭノッチフィルタ帯域幅（notch filter bandwidth）８４６を図示するグラフである。図８のシミュレーション結果は、干渉するスプール（例えば、Ｔｘ高調波１１６）が、ＦＭチャネルの中心（１００ｋＨｚに位置付けられた）からより離れて動かされるにつれて、ＦＭノッチフィルタ帯域幅８４６が拡大され得ることを示している。ＦＭノッチフィルタ帯域幅８４６が増大するにつれて、ＦＭノッチフィルタは、さらなる干渉を阻止し得る。
【００７４】
[0082]  ＦＭノッチフィルタ（スプールフィルタ（spur filter）とも呼ばれる）は干渉を除去または低減するだけではないため、ＦＭノッチフィルタは、ＦＭ信号自体の一部分もまた除去し得る。結果として、オーディオ品質が低下され得る。しかしながら、図８は、ＮＦＣキャリアシフトがＦＭチャネルの中心から増大されるにつれて（例えば、干渉オフセット８４８が１００ｋＨｚから移動するにつれて）、ＦＭノッチフィルタ帯域幅８４６もまた増大し得ることを示す。干渉がＦＭチャネルの中心から遠いため、より広いＦＭノッチフィルタ帯域幅８４６が利用され得る。これは、ＮＦＣ干渉からの障害と比較してＦＭ信号のより広い除去された部分に起因して、オーディオ品質におけるより小さい劣化をもたらし得る。さらに、より大きいＦＭノッチフィルタ帯域幅８４６は、より幅広いノッチアウトされた（notched out）干渉をもたらし得る。
【００７５】
[0083]  図９は、ワイヤレス通信デバイス９０２内に含まれ得る特定のコンポーネントを図示する。ワイヤレス通信デバイス９０２は、アクセス端末、モバイル局、ユーザ機器（ＵＥ）などであり得る。例えば、ワイヤレス通信デバイス９０２は、図１のワイヤレス通信デバイス１０２、または図３のワイヤレス通信デバイス３０２であり得る。
【００７６】
[0084]  ワイヤレス通信デバイス９０２は、プロセッサ９０３を含む。プロセッサ９０３は、汎用のシングルチップまたはマルチチップマイクロプロセッサ（例えば、アドバンストＲＩＳＣ（Reduced Instruction Set Computer）マシン（ＡＲＭ））、専用マイクロプロセッサ（例えば、デジタル信号プロセッサ（ＤＳＰ））、マイクロコントローラ、プログラマブルゲートアレイなどであり得る。プロセッサ９０３は、中央処理ユニット（ＣＰＵ）と呼ばれ得る。単一のプロセッサ９０３のみが、図９のワイヤレス通信デバイス９０２において示されるが、代替の構成として、プロセッサの組み合わせ（例えば、ＡＲＭおよびＤＳＰ）が使用され得る。
【００７７】
[0085]  ワイヤレス通信デバイス９０２はまた、プロセッサと電子通信するメモリ９０５を含む（すなわち、プロセッサは、メモリから情報を読み取ることおよび／またはメモリに情報を書き込むことができる）。メモリ９０５は、電子情報を記憶することが可能な任意の電子コンポーネントであり得る。メモリ９０５は、ランダムアクセスメモリ（ＲＡＭ）、読取専用メモリ（ＲＯＭ）、磁気ディスク記憶媒体、光記憶媒体、ＲＡＭにおけるフラッシュメモリデバイス、プロセッサと共に含まれるオンボードメモリ、消去可能プログラマブル読取専用メモリ（ＥＰＲＯＭ）、電気的消去可能ＰＲＯＭ（ＥＥＰＲＯＭ（登録商標））、レジスタなど、およびそれらの組合せとして構成され得る。
【００７８】
[0086]  データ９０７ａおよび命令９０９ａは、メモリ９０５に記憶され得る。命令は、１つまたは複数のプログラム、ルーチン、サブルーチン、関数、プロシージャ、コードなどを含み得る。命令は、単一のコンピュータ読取可能なステートメントまたは多数のコンピュータ読取可能なステートメントを含み得る。命令９０９ａは、本明細書に開示される方法を実現するためにプロセッサ９０３によって実行可能であり得る。命令９０９ａを実行することは、メモリ９０５内に記憶されるデータ９０７ａの使用を含み得る。プロセッサ９０３が命令９０９を実行する場合、命令９０９ｂの様々な部分がプロセッサ９０３にロードされ、データ９０７ｂの様々な部分がプロセッサ９０３にロードされ得る。
【００７９】
[0087]  ワイヤレス通信デバイス９０２はまた、アンテナ９１７を介して、ワイヤレス通信デバイス９０２への信号の送信と、それからの信号の送信および受信を可能にするための、送信機９１１および受信機９１３を含み得る。送信機９１１および受信機９１３は、トランシーバ９１５と総称され得る。ワイヤレス通信デバイス９０２はまた、複数の送信機、複数のアンテナ、複数の受信機、および／または複数のトランシーバを含み得る（図示されず）。
【００８０】
[0088]  ワイヤレス通信デバイス９０２は、デジタル信号プロセッサ（ＤＳＰ）９２１を含み得る。ワイヤレス通信デバイス９０２はまた、通信インターフェース９２３を含み得る。通信インターフェース９２３は、ユーザがワイヤレス通信デバイス９０２とやり取りすることを可能にし得る。
【００８１】
[0089]  ワイヤレス通信デバイス９０２の様々なコンポーネントが、１つまたは複数のバスによって共に結合され得、それは、電力バス、制御信号バス、ステータス信号バス、データバスなどを含み得る。明確化のために、様々なバスが、バスシステム９１９として、図９で図示される。
【００８２】
[0090]  先の説明では、参照番号は、時に、様々な用語に関連して使用されている。用語が参照番号に関連して使用される場合、これは、図のうちの１つまたは複数で示される特定のエレメントを指すことを意味し得る。用語が参照番号なしに使用される場合、これは、いずれか特定の図に限定することなく用語を一般的に指すことを意味し得る。
【００８３】
[0091]  「決定すること（determining）」という用語は、多種多様な動作を包含し、従って「決定すること」は、計算すること、演算すること、処理すること、導出すること、調査すること、調べること（例えば、表、データベース、または別のデータ構造を調べること）、確認することなどを含むことができる。また、「決定すること」は、受信すること（例えば、情報を受信すること）、アクセスすること（例えば、メモリ内のデータにアクセスすること）などを含むことができる。また、「決定すること」は、解決すること、選択すること、選ぶこと、確立することなどを含むことができる。
【００８４】
[0092]  「に基づく（based on）」というフレーズは、そうではないと明確に指定されていない限り、「のみに基づく」ことを意味するわけではない。言い換えると、「に基づく」というフレーズは、「のみに基づく（based only on）」および「に少なくとも基づく（based at least on）」の両方を説明する。
【００８５】
[0093]  「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するように広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組み合わせ、例えば、デジタル信号プロセッサ（ＤＳＰ）とマイクロプロセッサの組み合わせ、複数のマイクロプロセッサ、デジタル信号プロセッサ（ＤＳＰ）コアと連携した１つまたは複数のマイクロプロセッサ、あるいは任意の他のこのような構成を指し得る。
【００８６】
[0094]  「メモリ」という用語は、電子情報を記憶することができる任意の電子コンポーネントを包含するように広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、消去可能なプログラマブル読取専用メモリ（ＥＰＲＯＭ）、電気的消去可能ＰＲＯＭ（ＥＥＰＲＯＭ）、フラッシュメモリ、磁気または光学データ記憶装置、レジスタなどのような、様々なタイプのプロセッサ読取可能媒体を指し得る。メモリは、プロセッサがそのメモリから情報を読み取ることができる、および／またはそれに情報を書き込むことができる場合、そのプロセッサと電子通信していると考えられる。プロセッサに統合されているメモリは、そのプロセッサと電子通信している。
【００８７】
[0095]  「命令」および「コード」という用語は、任意のタイプの（１つまたは複数の）コンピュータ読取可能ステートメントを含むように広く解釈されるべきである。例えば、「命令」および「コード」という用語は、１つまたは複数のプログラム、ルーチン、サブルーチン、機能（function）、プロシージャなどを指し得る。「命令」および「コード」は、単一のコンピュータ可読ステートメントまたは多数のコンピュータ可読ステートメントを備え得る。
【００８８】
[0096]  本明細書で説明される機能は、ハードウェアによって実行されるソフトウェアまたはファームウェアにおいて実装され得る。これらの機能は、コンピュータ読取可能媒体上で、１つまたは複数の命令として記憶され得る。「コンピュータ読取可能媒体」または「コンピュータプログラム製品」という用語は、コンピュータまたはプロセッサによってアクセスされ得る任意の有形の記憶媒体を指す。限定ではなく例として、コンピュータ読取可能媒体は、ＲＡＭ、ＲＯＭ、ＥＥＰＲＯＭ、ＣＤ−ＲＯＭ、あるいは他の光学ディスク記憶装置、磁気ディスク記憶装置または他の磁気記憶デバイス、あるいは、命令またはデータ構造の形態で所望のプログラムコードを搬送または記憶するために使用されることができ、かつ、コンピュータによってアクセスされることができる任意の他の媒体を含み得る。本明細書で使用されるような、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびＢｌｕ−ｒａｙ（登録商標）ディスクを含み、ここでディスク（disks）は、通常磁気的にデータを再生し、一方ディスク（discs）は、レーザーを用いて光学的にデータを再生する。コンピュータ読取可能媒体は、有形および非一時的であり得ることに留意されたい。「コンピュータプログラム製品」という用語は、コンピューティングデバイスまたはプロセッサによって実行、処理、または計算され得るコードまたは命令（例えば、「プログラム」の）と組み合わせたコンピューティングデバイスまたはプロセッサを指す。本明細書で使用されるような、「コード」という用語は、コンピューティングデバイスまたはプロセッサによって実行可能であるソフトウェア、命令、コード、またはデータを指し得る。
【００８９】
[0097]  ソフトウェアまたは命令はまた、送信媒体上で送信され得る。例えば、ソフトウェアがウェブサイト、サーバ、または他の遠隔ソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は送信媒体の定義に含まれる。
【００９０】
[0098]  本明細書に開示された方法は、記述された方法を達成するための１つまたは複数のステップまたは動作を備える。方法のステップおよび／または動作は、特許請求の範囲から逸脱することなく互いに置き換えられ得る。言い換えれば、ステップまたは動作の特定の順序が、説明されている方法の正常な動作のために必要とされない限り、特定のステップおよび／または動作の順序および／または使用は、特許請求の範囲から逸脱することなく修正され得る。
【００９１】
[0099]  さらに、図２、および図４で図示されているような、本明細書で説明された方法および技法を実行するためのモジュールおよび／または他の適切な手段は、デバイスによってダウンロードされるおよび／または別の方法で取得され得ることが理解されるべきである。例えば、デバイスは、本明細書で説明された方法を実行するための手段の転送を容易にするために、サーバに結合され得る。代替的に、ここで説明された様々な方法は、デバイスに記憶手段を結合または提供した際に、デバイスが様々な方法を取得し得るように、記憶手段（例えば、ランダムアクセスメモリ（ＲＡＭ）、読取専用メモリ（ＲＯＭ）、コンパクトディスク（ＣＤ）またはフロッピーディスクのような物理記憶媒体など）を介して提供され得る。さらに、本明細書で説明される方法および技法をデバイスに提供するためのその他任意の適切な技法が利用され得る。
【００９２】
[00100]  本願の請求項は、上記に例示されたとおりの構成およびコンポーネントに限定されないことが理解されるべきである。様々な修正、変更、および、バリエーションが、本明細書において説明されたシステム、方法、および装置の配置、オペレーション、および、詳細において、特許請求の範囲から逸脱することなく行われ得る。
以下に本願の出願当初の特許請求の範囲に記載された発明を付記する。
［Ｃ１］
送信の干渉を低減するための方法であって、
ＦＭ受信機がオンにされることを決定することと、
前記ＦＭ受信機が誘導ベースの通信送信機からの干渉を経験するＦＭチャネルに同調されることを決定することと、
一時的な周波数シフトによって前記誘導ベースの通信送信機の送信周波数を調整することと
を備える、方法。
［Ｃ２］
前記方法は、ワイヤレス通信デバイスによって実行される、Ｃ１に記載の方法。
［Ｃ３］
前記誘導ベースの通信送信機の磁界は、前記ＦＭ受信機と誘導結合される、Ｃ１に記載の方法。
［Ｃ４］
前記ＦＭ受信機が誘導ベースの通信送信機からの干渉を経験するＦＭチャネルに同調されることを決定することは、前記同調されたＦＭチャネルを、感度低下されたＦＭチャネルのリストと比較することを備える、Ｃ１に記載の方法。
［Ｃ５］
前記干渉は、前記誘導ベースの通信送信機の前記送信周波数の高調波によって引き起こされる、Ｃ１に記載の方法。
［Ｃ６］
前記一時的な周波数シフトは、前記ＦＭ受信機との干渉を低減する、Ｃ１に記載の方法。
［Ｃ７］
前記同調されたＦＭチャネルが、前記誘導ベースの通信送信機の前記送信周波数の高調波から周波数閾値内にあるとき、前記誘導ベースの通信送信機の前記送信周波数を調整することをさらに備える、Ｃ１に記載の方法。
［Ｃ８］
前記誘導ベースの通信送信機は、近距離通信（ＮＦＣ）送信機である、Ｃ１に記載の方法。
［Ｃ９］
前記ＮＦＣ送信機の動作は、ＦＭ動作と同時である、Ｃ８に記載の方法。
［Ｃ１０］
前記一時的な周波数シフトは、指定されたＮＦＣ送信周波数帯域幅内である、Ｃ８に記載の方法。
［Ｃ１１］
前記ＮＦＣ送信機は、イニシエータとして機能している、Ｃ８に記載の方法。
［Ｃ１２］
前記ＮＦＣ送信機は、ポーリング動作を行っている、Ｃ８に記載の方法。
［Ｃ１３］
送信の干渉を低減するための装置であって、
プロセッサと、
前記プロセッサと電子通信するメモリと、
前記メモリに記憶された命令と
を備え、前記命令は、
ＦＭ受信機がオンにされることを決定することと、
前記ＦＭ受信機が誘導ベースの通信送信機からの干渉を経験するＦＭチャネルに同調されることを決定することと、
一時的な周波数シフトによって前記誘導ベースの通信送信機の送信周波数を調整することと
を行うように前記プロセッサによって実行可能である、装置。
［Ｃ１４］
前記誘導ベースの通信送信機の磁界は、前記ＦＭ受信機と誘導結合される、Ｃ１３に記載の装置。
［Ｃ１５］
前記ＦＭ受信機が誘導ベースの通信送信機からの干渉を経験するＦＭチャネルに同調されることを決定するように実行可能な前記命令は、前記同調されたＦＭチャネルを、感度低下されたＦＭチャネルのリストと比較するように実行可能な命令を備える、Ｃ１３に記載の装置。
［Ｃ１６］
前記干渉は、前記誘導ベースの通信送信機の前記送信周波数の高調波によって引き起こされる、Ｃ１３に記載の装置。
［Ｃ１７］
前記一時的な周波数シフトは、前記ＦＭ受信機との干渉を低減する、Ｃ１３に記載の装置。
［Ｃ１８］
前記同調されたＦＭチャネルが前記誘導ベースの通信送信機の前記送信周波数の高調波から周波数閾値内にあるとき、前記誘導ベースの通信送信機の前記送信周波数を調整するように実行可能な命令をさらに備える、Ｃ１３に記載の装置。
［Ｃ１９］
前記誘導ベースの通信送信機は、近距離通信（ＮＦＣ）送信機である、Ｃ１３に記載の装置。
［Ｃ２０］
送信の干渉を低減するためのワイヤレスデバイスであって、
ＦＭ受信機がオンにされることを決定するための手段と、
前記ＦＭ受信機が誘導ベースの通信送信機からの干渉を経験するＦＭチャネルに同調されることを決定するための手段と、
一時的な周波数シフトによって前記誘導ベースの通信送信機の送信周波数を調整するための手段と
を備える、ワイヤレスデバイス。
［Ｃ２１］
前記ＦＭ受信機が誘導ベースの通信送信機からの干渉を経験するＦＭチャネルに同調されることを決定するための前記手段は、前記同調されたＦＭチャネルを、感度低下されたＦＭチャネルのリストと比較するための手段を備える、Ｃ２０に記載のワイヤレスデバイス。
［Ｃ２２］
前記干渉は、前記誘導ベースの通信送信機の前記送信周波数の高調波によって引き起こされる、Ｃ２０に記載のワイヤレスデバイス。
［Ｃ２３］
前記一時的な周波数シフトは、前記ＦＭ受信機との干渉を低減する、Ｃ２０に記載のワイヤレスデバイス。
［Ｃ２４］
前記同調されたＦＭチャネルが前記誘導ベースの通信送信機の前記送信周波数の高調波から周波数閾値内にあるとき、前記誘導ベースの通信送信機の前記送信周波数を調整するための手段をさらに備える、Ｃ２０に記載のワイヤレスデバイス。
［Ｃ２５］
送信の干渉を低減するためのコンピュータプログラム製品であって、前記コンピュータプログラム製品は、命令を有する非一時的な的コンピュータ読取可能媒体を備え、前記命令は、
ワイヤレス通信デバイスに、ＦＭ受信機がオンにされることを決定させるためのコードと、
前記ワイヤレス通信デバイスに、前記ＦＭ受信機が誘導ベースの通信送信機からの干渉を経験するＦＭチャネルに同調されることを決定させるためのコードと、
前記ワイヤレス通信デバイスに、一時的な周波数シフトによって前記誘導ベースの通信送信機の送信周波数を調整させるためのコードと
を備える、コンピュータプログラム製品。
［Ｃ２６］
前記ワイヤレス通信デバイスに、前記ＦＭ受信機が誘導ベースの通信送信機からの干渉を経験するＦＭチャネルに同調されることを決定させるための前記コードは、前記ワイヤレス通信デバイスに、前記同調されたＦＭチャネルを、感度低下されたＦＭチャネルのリストと比較させるためのコードを備える、Ｃ２５に記載のコンピュータプログラム製品。
［Ｃ２７］
前記干渉は、前記誘導ベースの通信送信機の前記送信周波数の高調波によって引き起こされる、Ｃ２５に記載のコンピュータプログラム製品。
［Ｃ２８］
前記一時的な周波数シフトは、前記ＦＭ受信機との干渉を低減する、Ｃ２５に記載のコンピュータプログラム製品。
［Ｃ２９］
前記同調されたＦＭチャネルが前記誘導ベースの通信送信機の前記送信周波数の高調波から周波数閾値内にあるとき、前記ワイヤレス通信デバイスに、前記誘導ベースの通信送信機の前記送信周波数を調整させるためのコードをさらに備える、Ｃ２５に記載のコンピュータプログラム製品。
［Ｃ３０］
前記誘導ベースの通信送信機は、近距離通信（ＮＦＣ）送信機である、Ｃ２５に記載のコンピュータプログラム製品。
【図１】
0006441362.tif 000002
【図２】
0006441362.tif 000003
【図３】
0006441362.tif 000004
【図４】
0006441362.tif 000005
【図５】
0006441362.tif 000006
【図６】
0006441362.tif 000007
【図７】
0006441362.tif 000008
【図８】
0006441362.tif 000009
【図９】
0006441362.tif 000010